(57)【特許請求の範囲】
【請求項１】
デジタルコンテンツプロバイダが提供するデジタルコンテンツを送信するユーザ端末であって、前記ユーザ端末は、
提供されたデジタルコンテンツのデジタル著作権管理（ＤＲＭ）情報を変更するデジタル著作権管理（ＤＲＭ）部と、
前記変更されたＤＲＭ情報を含む前記提供されたデジタルコンテンツをエンコードするコンテンツ処理部と、
第１外部端末に前記エンコードされたデジタルコンテンツを送信する通信部と、
を含むことを特徴とするユーザ端末。
【請求項２】
前記ＤＲＭ情報は、前記デジタルコンテンツプロバイダによって前記デジタルコンテンツに追加された初期のＤＲＭ領域を含むことを特徴とする請求項１に記載のユーザ端末。
【請求項３】
前記初期のＤＲＭ領域は、変更可能な購入者領域と変更されない販売者領域とを含み、前記ＤＲＭ部は、前記変更可能な購入者領域に記録されたＤＲＭ情報を変更することを特徴とする請求項２に記載のユーザ端末。
【請求項４】
前記販売者領域は、前記デジタルコンテンツの詳細な情報、前記デジタルコンテンツの購入量、前記デジタルコンテンツの送信可能数、及び前記デジタルコンテンツの譲渡可能数のうち少なくとも１つまたはその組み合わせを含むことを特徴とする請求項３に記載のユーザ端末。
【請求項５】
前記購入者領域は、前記デジタルコンテンツの最初の購入者の情報、前記デジタルコンテンツの現在の所有者の情報、現在所有している前記デジタルコンテンツのライセンス数、前記デジタルコンテンツの現在取消可能な数、前記デジタルコンテンツの送信可能数、前記デジタルコンテンツの譲渡可能数、及び前記デジタルコンテンツのレンタル期間のうち少なくとも一つまたはその組み合わせを含むことを特徴とする請求項３に記載のユーザ端末。
【請求項６】
前記第１外部端末は、前記エンコードされたデジタルコンテンツを受信し、第２外部端末に送信することを特徴とする請求項３に記載のユーザ端末。
【請求項７】
前記エンコードされたデジタルコンテンツは、第２外部端末にコピー、送信、及び譲渡され、前記第１外部端末から取消されることを特徴とする請求項１に記載のユーザ端末。
【請求項８】
前記エンコードされたデジタルコンテンツが前記第１外部端末に送信される場合、前記ユーザ端末によって前記デジタルコンテンツの使用を無効にするロック操作を実行するメモリ管理部をさらに含むことを特徴とする請求項１に記載のユーザ端末。
【請求項９】
前記エンコードされたデジタルコンテンツが前記第１外部端末から取消される場合、前記ＤＲＭ部は、前記変更されたＤＲＭ情報を変更することを特徴とする請求項１に記載のユーザ端末。
【請求項１０】
前記ユーザ端末は、前記デジタルコンテンツプロバイダから一度のダウンロードで前記デジタルコンテンツの複数のライセンスを取得することを特徴とする請求項１に記載のユーザ端末。
【請求項１１】
前記デジタルコンテンツプロバイダは、一意の番号または前記ユーザ端末の個人証明書の少なくとも一つを用いて前記デジタルコンテンツをエンコードすることを特徴とする請求項１に記載のユーザ端末。
【請求項１２】
前記コンテンツ処理部は、前記一意の番号または前記第１外部端末の前記個人証明書の少なくとも一つを用いて前記デジタルコンテンツをエンコードすることを特徴とする請求項１１に記載のユーザ端末。
【請求項１３】
デジタルコンテンツの送信方法であって、前記方法は、
デジタルコンテンツプロバイダが提供するデジタルコンテンツのデジタル著作権管理（ＤＲＭ）情報を変更することと、
前記変更されたＤＲＭ情報を含む前記デジタルコンテンツをエンコードすることと、
第１外部端末に前記エンコードされたデジタルコンテンツを送信することと、を含むことを特徴とするデジタルコンテンツの送信方法。
【請求項１４】
前記ＤＲＭ情報は、前記デジタルコンテンツプロバイダによって前記デジタルコンテンツに追加された初期のＤＲＭ領域を含むことを特徴とする請求項１３に記載の方法。
【請求項１５】
初期のＤＲＭ領域は、変更可能な購入者領域と変更されない販売者領域とを含み、前記ＤＲＭ情報を変更することは、前記変更可能な購入者領域に記録されたＤＲＭ情報を変更することを含むことを特徴とする請求項１４に記載の方法。
【請求項１６】
前記販売者領域は、前記デジタルコンテンツの詳細な情報、前記デジタルコンテンツの購入量、前記デジタルコンテンツの送信可能数、及び前記デジタルコンテンツの譲渡可能数のうち少なくとも１つまたはその組み合わせを含むことを特徴とする請求項１５に記載の方法。
【請求項１７】
前記購入者領域は、前記デジタルコンテンツの最初の購入者の情報、前記デジタルコンテンツの現在の所有者の情報、現在所有している前記デジタルコンテンツのライセンス数、前記デジタルコンテンツの現在取消可能な数、前記デジタルコンテンツの送信可能数、前記デジタルコンテンツの譲渡可能数、及び前記デジタルコンテンツのレンタル期間のうち少なくとも一つまたはその組み合わせを含むことを特徴とする請求項１５に記載の方法。
【請求項１８】
前記エンコードされたデジタルコンテンツは、第２外部端末にコピー、送信、及び譲渡され、前記第１外部端末から取消されることを特徴とする請求項１３に記載の方法。
【請求項１９】
前記エンコードされたデジタルコンテンツが前記第１外部端末に送信される場合、前記デジタルコンテンツの使用を無効にするロック操作を行うことをさらに含むことを特徴とする請求項１３に記載の方法。
【請求項２０】
前記エンコードされたデジタルコンテンツが前記第１外部端末から取消される場合、前記変更されたＤＲＭ情報を変更することをさらに含むことを特徴とする請求項１３に記載の方法。
【請求項２１】
前記デジタルコンテンツの複数のライセンスは、一度のダウンロードで前記デジタルコンテンツプロバイダから取得され、前記複数のライセンス数は前記デジタルコンテンツの提供量を示すことを特徴とする請求項１３に記載の方法。
【請求項２２】
前記デジタルコンテンツプロバイダは、一意の番号または前記デジタルコンテンツプロバイダから前記デジタルコンテンツを受信するユーザ端末の個人証明書の少なくとも一つを用いて前記デジタルコンテンツをエンコードすることを特徴とする請求項１３に記載の方法。
【請求項２３】
前記デジタルコンテンツをエンコーディングすることは、一意の番号または前記第１外部端末の個人証明書の少なくとも一つを用いて前記デジタルコンテンツをエンコードすることを含むことを特徴とする請求項１３に記載の方法。
【請求項２４】
デジタルコンテンツを送信するシステムであって、前記システムは、
デジタルコンテンツを提供するデジタルコンテンツプロバイダと、
前記デジタルコンテンツを前記デジタルコンテンツプロバイダから受信し、前記受信したデジタルコンテンツのデジタル著作権管理（ＤＲＭ）情報を変更し、前記変更されたＤＲＭ情報を含む前記デジタルコンテンツを送信するユーザ端末と、
前記変更されたＤＲＭ情報を含む前記デジタルコンテンツを受信する第１外部端末と、
含むことを特徴とするシステム。
【請求項２５】
前記ユーザ端末は、
前記受信したデジタルコンテンツの前記ＤＲＭ情報を変更するＤＲＭ部と、
前記変更されたＤＲＭ情報を含む前記デジタルコンテンツをエンコードするコンテンツ処理部と、
前記第１外部端末に前記エンコードされたデジタルコンテンツを送信する通信部と、
を含むことを特徴とする請求項２４に記載のシステム。
【請求項２６】
前記デジタルコンテンツプロバイダは、
前記ユーザ端末によって受信された前記デジタルコンテンツの購入条件を用いて前記ＤＲＭ情報を生成するＤＲＭ生成部と、
前記ユーザ端末の識別情報を用いて前記生成されたＤＲＭ情報を含む前記デジタルコンテンツをエンコードするエンコーディング部と、
前記ユーザ端末に、前記エンコードされた前記デジタルコンテンツを送信する通信部と、
を含むことを特徴とする請求項２４に記載のシステム。
【請求項２７】
前記変更されたＤＲＭ情報を含む前記デジタルコンテンツを受信する第２外部端末をさらに含むことを特徴とする請求項２４に記載のシステム。
【請求項２８】
前記第２外部端末は、前記第１外部端末から送信されたデジタルコンテンツを受信し、前記第１外部端末は、修正されたＤＲＭ情報を含めて前記受信したＤＲＭ情報を含むデジタルコンテンツを変更することを特徴とする請求項２７に記載のシステム。
【請求項２９】
前記第１外部端末は、前記受信したＤＲＭ情報を含むデジタルコンテンツを、前記第２外部端末に送信した後、削除または無効にすることを特徴とする請求項２８に記載のシステム。
【請求項３０】
前記修正されたＤＲＭ情報を含む前記デジタルコンテンツは、レンタル期間の満了後に前記第２外部端末から取消されることを特徴とする請求項２９に記載のシステム。
【発明の詳細な説明】
【技術分野】
【０００１】
本発明は、デジタルコンテンツを送信するためのユーザ端末、方法、及びシステムに関する。
【背景技術】
【０００２】
デジタルコンテンツは、例えば、電子書籍（ｅ−ｂｏｏｋ）、ダウンロード可能な音楽／動画ファイルなどの様々な種類のコンテンツを含む。エレクトロニック・ブック（ｅｌｅｃｔｒｏｎｉｃ  ｂｏｏｋ）としても知られている電子書籍は、電子記録可能な媒体に記録されたデジタル書籍である。ユーザは電子書籍を購入し、ユーザ端末に書籍のコンテンツをダウンロードする。コンテンツプロバイダは、電子書籍にデジタル著作権管理（ＤＲＭ：Ｄｉｇｉｔａｌ  Ｒｉｇｈｔｓ  Ｍａｎａｇｅｍｅｎｔ）を適用することがある。特に、コンテンツプロバイダは、一般的にＤＲＭの流動性（ｌｉｑｕｉｄｉｔｙ）を認めていない。したがって、ユーザが他のユーザとデジタルコンテンツを共有したり、他のユーザにデジタルコンテンツを譲渡することはできない。この不便さは個人間だけでなく、企業間でも発生する可能性がある。
【発明の概要】
【発明が解決しようとする課題】
【０００３】
本発明は、ユーザが電子書籍などのデジタルコンテンツを購入し、再購入、共有、譲渡などの様々な機能をデジタルコンテンツに適用することのできるデジタルコンテンツを送信するためのユーザ端末、方法、及びシステムを提供することを目的とする。
【課題を解決するための手段】
【０００４】
本発明の追加的な特徴は、以下の説明に詳細に開示されており、一部は説明から明らかになり、また、本発明の実施によって理解されるだろう。
【０００５】
本発明の一実施形態に係るデジタルコンテンツプロバイダが提供するデジタルコンテンツを送信するユーザ端末は、デジタル著作権管理（ＤＲＭ）情報を変更するＤＲＭ部と、前記変更されたＤＲＭ情報を含む前記提供されたデジタルコンテンツをエンコードするコンテンツ処理部と、第１外部端末に前記エンコードされたデジタルコンテンツを送信する通信部と、を含む。
【０００６】
本発明の一実施形態に係るデジタルコンテンツの送信方法は、デジタルコンテンツプロバイダが提供するデジタルコンテンツのＤＲＭ情報を変更することと、前記変更されたＤＲＭ情報を含む前記デジタルコンテンツをエンコードすることと、第１外部端末に前記エンコードされたデジタルコンテンツを送信することとを含む。
【０００７】
本発明の一実施形態に係るデジタルコンテンツを送信するシステムは、デジタルコンテンツを提供するデジタルコンテンツプロバイダと、前記デジタルコンテンツを前記デジタルコンテンツプロバイダから受信し、前記受信したデジタルコンテンツのＤＲＭ情報を変更し、前記変更されたＤＲＭ情報を含む前記デジタルコンテンツを送信するユーザ端末と、前記変更されたＤＲＭ情報を含む前記デジタルコンテンツを受信する第１外部端末と、を含む。
【０００８】
なお、上述した一般的な説明及び以下の詳細な説明は例示的なものであり、特許請求の範囲に記載された本発明の更なる説明の提供を意図すると理解されるべきである。他の特徴及び実施形態は、以下の詳細な説明、図面、及び特許請求の範囲から明らかになるであろう。
【発明の効果】
【０００９】
本発明によれば、ユーザが電子書籍などのデジタルコンテンツを購入し、再購入、共有、譲渡などの様々な機能をデジタルコンテンツに適用することのできるデジタルコンテンツを送信するためのユーザ端末、方法、及びシステムを提供することができる。
【図面の簡単な説明】
【００１０】
【図１】図１は、本発明の一実施形態に係るデジタルコンテンツを送信するためのシステムを示す図である。
【図２】図２は、本発明の一実施形態に係る初期のデジタル著作権管理（ＤＲＭ）領域を有するデジタルコンテンツの概略構成を示す図である。
【図３】図３は、本発明の一実施形態に係るＤＲＭ領域を示す図である。
【図４】図４は、本発明の一実施形態に係るＤＲＭ領域を示す図である。
【図５】図５は、本発明の一実施形態に係るＤＲＭ領域を示す図である。
【図６】図６は、本発明の一実施形態に係るＤＲＭ領域を示す図である。
【図７】図７は、本発明の一実施形態に係るＤＲＭ領域を示す図である。
【図８】図８は、本発明の一実施形態に係るＤＲＭ領域を示す図である。
【図９】図９は、本発明の一実施形態に係る第１ユーザ端末によるデジタルコンテンツの送信方法を示すフローチャートである。
【図１０】図１０は、本発明の一実施形態に係るＤＲＭ情報拡張に基づいてデジタルコンテンツを購入して送信する方法を示すフローチャートである。
【発明を実施するための形態】
【００１１】
本発明は、本発明の実施形態が示されている添付図面を参照しながら、以下に詳細に説明される。しかし、本発明は多くの異なる形態で具体化することができ、本明細書に記載された実施形態に限定して解釈されるものではない。むしろ、これらの実施形態は、この開示により十分に当業者に本発明の範囲を伝えるように示されている。図面においては、サイズ、層及び領域の相対的なサイズは、明確化するために誇張して図示されることがある。図面の同じ参照符号は同じ構成について示す。
【００１２】
また、様々な要素、構成要素、領域、層及び／またはセクションを表すために、第１、第２、第３等の用語が用いられるが、これらの要素、構成要素、領域、層及び／またはセクションは、これらの用語によって制限されるものではない。これらの用語は、別の領域、層またはセクションから１つの要素、構成要素、領域、層またはセクションを区別するために使用される。従って、後述する第１の要素、構成要素、領域、層またはセクションを、本発明の教示から逸脱することなく、第２の要素、構成要素、領域、層またはセクションと称することがある。
【００１３】
図１は、本発明の一実施形態に係るデジタルコンテンツを送信するためのシステムを示す図である。
【００１４】
図１を参照すると、デジタルコンテンツを送信するためのシステム５は、デジタルコンテンツプロバイダ１００、第１ユーザ端末２００、及び第２ユーザ端末３００を含む。図１には、２つのユーザ端末として、第１ユーザ端末２００及び第２ユーザ端末３００を図示しているが、本発明の実施形態として、ユーザ端末が特定の数に限定されるものではない。第１ユーザ端末２００のユーザは、第２ユーザ端末３００のユーザと同一または異なってもよい。
【００１５】
第１ユーザ端末２００は、デジタルコンテンツプロバイダ１００からデジタルコンテンツを購入し、外部端末である第２ユーザ端末３００に、デジタルコンテンツを送信する。デジタルコンテンツは、デジタルコンテンツプロバイダ１００を介さずに第１ユーザ端末２００から第２ユーザ端末３００に送信されてもよい。購入として説明したが、デジタルコンテンツは、贈与（ｇｉｆｔ）または貸付（ｌｏａｎ）として提供され、第１ユーザ端末に受信されてもよい。
【００１６】
デジタルコンテンツプロバイダ１００を介さずにデジタルコンテンツの送信を可能とするために、デジタルコンテンツプロバイダ１００は、デジタルコンテンツにデジタル著作権管理（ＤＲＭ）領域（ａｒｅａ）を追加（ａｄｄ）し、ＤＲＭ領域に購入に関連するＤＲＭ情報を記録（ｒｅｃｏｒｄ）する。第１ユーザ端末２００は、購入したデジタルコンテンツのＤＲＭ情報を変更し、第２ユーザ端末３００に変更されたＤＲＭ情報を含むデジタルコンテンツを送信する。本実施形態によれば、デジタルコンテンツは、ＤＲＭ情報拡張（ＤＲＭ  ｉｎｆｏｒｍａｔｉｏｎ  ｅｘｔｅｎｓｉｏｎ）を用いた多様なアプリケーションを含み得る。例えば、ＤＲＭ情報拡張は、外部端末にユーザ端末のデジタルコンテンツを貸与し（ｒｅｎｔ）、転送し（ｔｒａｎｓｆｅｒ）、または譲渡（ａｓｓｉｇｎ）するユーザ端末を通して、購入したデジタルコンテンツのＤＲＭ情報を変更する一連のプロセスであってもよい。
【００１７】
デジタルコンテンツプロバイダ１００は、コンテンツ管理部１１０、ＤＲＭ生成部１２０、エンコーディング部１３０、プロバイダ通信部１４０、及びプロバイダ制御部１５０を含む。
【００１８】
コンテンツ管理部１１０は、複数の利用可能なデジタルコンテンツの売上（ｓａｌｅｓ）を格納し、管理することができる。コンテンツ管理部１１０は、ファイル形式でデジタルコンテンツを保存及び管理することができる。
【００１９】
ＤＲＭ生成部１２０は、第１ユーザ端末２００の購入条件（ｃｏｎｄｉｔｉｏｎ）を用いたＤＲＭ情報を生成してもよい。具体的には、ＤＲＭ生成部１２０は、デジタルコンテンツの販売条件及びデジタルコンテンツの購入条件を含むＤＲＭ情報を生成してもよい。生成されたＤＲＭ情報は、デジタルコンテンツに追加されてもよい。
【００２０】
図２は、本発明の一実施形態に係る初期のデジタル著作権管理（ＤＲＭ）領域を有するデジタルコンテンツの概略構成を示す図である。
【００２１】
図２に図示したように、デジタルコンテンツの構成は、コンテンツ領域２１と初期のＤＲＭ領域（ｉｎｉｔｉａｌ  ＤＲＭ  ａｒｅａ）２２とを含み、初期のＤＲＭ領域２２は、販売者領域（ｓｅｌｌｅｒ  ａｒｅａ）２３と購入者領域（ｐｕｒｃｈａｓｅｒ  ａｒｅａ）２４とを含んでもよい。
【００２２】
コンテンツ領域２１は、購入者が購入したデジタルコンテンツのための領域である。例えば、購入者が電子書籍を購入した場合、コンテンツ領域２１は、コンテンツ領域２１に記録された電子書籍のコンテンツを含んでもよい。
【００２３】
初期のＤＲＭ領域２２は、ＤＲＭ生成部１２０によって生成されたＤＲＭ情報のための領域である。販売条件は、販売者領域２３に記録され、購入条件は、購入者領域２４に記録される。購入者領域２４がＤＲＭ部２４０によって変更される一方で、販売者領域２３は、第１ユーザ端末２００のＤＲＭ部２４０によって変更されてもよい。
【００２４】
販売条件は、購入条件に関わらず、各デジタルコンテンツの管理者によって設定されることがある。管理者は、デジタルコンテンツプロバイダ１００または権限の所有者（ｏｗｎｅｒ  ｏｆ  ｒｉｇｈｔｓ）であってもよい。ユーザは、販売条件の下で、デジタルコンテンツを購入する。販売条件は、デジタルコンテンツプロバイダ１００の管理者によって変更される場合がある。販売条件は、購入者の要求に応答して選択的に管理者によって変更されてもよく、またはデジタルコンテンツの購入条件に応じて変更されてもよい。
【００２５】
具体的には、デジタルコンテンツの詳細な情報、デジタルコンテンツのライセンス数、デジタルコンテンツの送信可能数（ｔｒａｎｓｍｉｓｓｉｂｌｅ  ｎｕｍｂｅｒ）、デジタルコンテンツのコピー可能数、及びデジタルコンテンツの譲渡可能数のうち、少なくとも一つが、販売者領域２３に記録されてもよい。
【００２６】
購入条件は、デジタルコンテンツを購入したユーザによって設定されることがある。デジタルコンテンツの最初の購入者の情報、デジタルコンテンツの現在の所有者の情報、現在所有しているデジタルコンテンツのライセンス数、デジタルコンテンツの現在取消可能な（ｗｉｔｈｄｒａｗａｂｌｅ）ライセンス数、デジタルコンテンツの送信可能数、デジタルコンテンツのコピー可能数、デジタルコンテンツの譲渡可能数、及びデジタルコンテンツのレンタル期間（ｒｅｎｔａｌ  ｐｅｒｉｏｄ）のうち、少なくとも一つが、購入者領域２４に記録されてもよい。
【００２７】
販売者領域２３及び購入者領域２４に記録された情報について、表１を参照して説明する。
【００２８】
【表１】
0005395855.tif 000002
【００２９】
表１において、ライセンス数は、同一のデジタルコンテンツの購入量であり、例えば、３つの電子書籍が購入された場合、ライセンス数は３であってもよい。つまり、第１ユーザ端末２００は、一度のダウンロードで、デジタルコンテンツプロバイダ１００から３つのライセンスを取得することができる。これは、複数の同一の書籍がレンガやモルタルの書店（ｂｒｉｃｋ  ａｎｄ  ｍｏｒｔａｒ  ｂｏｏｋｓｔｏｒｅ）で購入することのできるコンセプトに似ている。表１に示したＤＲＭ情報は、単一のデジタルコンテンツの情報であってもよい。
【００３０】
再び図１を参照して説明すると、エンコーディング部１３０は、ＤＲＭ生成部１２０で生成されたＤＲＭ情報を含むデジタルコンテンツをエンコードする。エンコーディング部１３０は、購入者の購入要求（ｐｕｒｃｈａｓｅ  ｒｅｑｕｅｓｔ）に応答して第１ユーザ端末２００の認証情報（ｃｅｒｔｉｆｉｃａｔｉｏｎ  ｉｎｆｏｒｍａｔｉｏｎ）を用いてデジタルコンテンツをエンコードする。認証情報は、一意の番号（ｕｎｉｑｕｅ  ｎｕｍｂｅｒ）及び第１ユーザ端末２００の個人証明書（ｐｅｒｓｏｎａｌ  ｃｅｒｔｉｆｉｃａｔｅ）のうち少なくとも一つを含み、第１ユーザ端末２００の一意の番号は、例えば、国際移動体装置識別（ＩＭＥＩ：ｉｎｔｅｒｎａｔｉｏｎａｌ  ｍｏｂｉｌｅ  ｅｑｕｉｐｍｅｎｔ  ｉｄｅｎｔｉｔｙ）番号であってもよい。ＩＭＥＩ番号は、製造業者によって割り当てられた第１ユーザ端末２００のシリアル番号であってもよい。
【００３１】
プロバイダ通信部１４０は、通信ネットワーク１０を介して第１ユーザ端末２００に、エンコーディング部１３０からエンコードされたデジタルコンテンツを送信する。
【００３２】
プロバイダ制御部１５０は、制御プログラム、ソフトウェア、プロセッサ等を用いてデジタルコンテンツプロバイダ１００の動作を制御する。例えば、プロバイダ制御部１５０は、認証情報を用いてチャージ・プロセス（ｃｈａｒｇｉｎｇ  ｐｒｏｃｅｓｓ）を実行してもよく、チャージ・プロセスが完了したときに認証情報を用いてデジタルコンテンツをエンコードするようにエンコーディング部１３０を制御してもよい。
【００３３】
第１ユーザ端末２００は、さらに、通信部２１０、メモリ部２２０、表示部２３０、ＤＲＭ部２４０、コンテンツ処理部２５０、メモリ管理部２６０、及び制御部２７０を含んでもよい。
【００３４】
第１ユーザ端末２００は、デジタルコンテンツプロバイダ１００からデジタルコンテンツを購入し、第２ユーザ端末３００に購入したデジタルコンテンツを送信してもよい。
【００３５】
通信部２１０は、デジタルコンテンツプロバイダ１００と、第１ユーザ端末２００及び第２ユーザ端末３００との間の、有線または無線の通信をそれぞれサポートする。例えば、通信部２１０が、デジタルコンテンツプロバイダ１００から購入したデジタルコンテンツを受信してもよい。
【００３６】
制御部２７０は、制御プログラム、ソフトウェア、プロセッサ（ｐｒｏｃｅｓｓｏｒ）等を用いて第１ユーザ端末２００の動作を制御する。
【００３７】
メモリ部２２０には、ファイル形式でデジタルコンテンツプロバイダ１００から購入したデジタルコンテンツが格納される。なお、本明細書において、用語「デジタルコンテンツ」は、便宜上、「ファイル」と同じ意味で使用される。また、メモリ部２２０には、第１ユーザ端末２００を操作するための各種プログラムが格納されてもよい。
【００３８】
表示部２３０は、第１ユーザ端末２００の様々な機能を提供するためのユーザインターフェイス（ＵＩ）を表示する。具体的には、表示部２３０は、メモリ部２２０に格納されたデジタルコンテンツのファイル・リスト（ｆｉｌｅ  ｌｉｓｔ）を表示してもよい。このとき、ファイル・リストはエフェクティブ・ファイル（ｅｆｆｅｃｔｉｖｅ  ｆｉｌｅ）を含んでもよい。例えば、メモリ部２２０に格納されたデジタルコンテンツが第２ユーザ端末３００に送信され、第１ユーザ端末２００では使用できない場合、デジタルコンテンツのファイル名を表示しないようにしてもよい。このとき、「送信」は、例えば、転送、コピー、及び譲渡等のデジタルコンテンツの動きに関連する操作であってもよい。送信されたデジタルコンテンツが、第２ユーザ端末３００から取消されてもよい。
【００３９】
ＤＲＭ部２４０は、デジタルコンテンツのＤＲＭ情報を変更する。ＤＲＭ部２４０は、デジタルコンテンツが購入された際にデジタルコンテンツに追加される、図２に示した初期のＤＲＭ領域２２に基づくＤＲＭ情報を変更してもよい。
【００４０】
ＤＲＭ部２４０は、購入したデジタルコンテンツに含まれるＤＲＭ領域２２の販売者領域２３の情報、すなわち販売条件を分析し、ファイル送信条件を管理する。ファイル送信条件は、購入条件に含まれてもよく、または購入条件であってもよい。デジタルコンテンツ、すなわちファイルが第２ユーザ端末３００に送信されると、ＤＲＭ部２４０は、購入者領域２４に格納された購入条件を変更し、デジタルコンテンツに変更された購入条件を含むＤＲＭ情報を格納する。また、第２ユーザ端末３００に送信されたデジタルコンテンツが取消される場合には、ＤＲＭ部２４０は、取消されたデジタルコンテンツのＤＲＭ情報を再び変更してもよい。
【００４１】
コンテンツ処理部２５０は、通信部２１０によって受信されたデジタルコンテンツをエンコードまたはデコード（ｄｅｃｏｄｅ）する。コンテンツ処理部２５０は、認証情報を用いてデジタルコンテンツをデコードしてもよい。デジタルコンテンツプロバイダ１００が、第１ユーザ端末２００の一意の番号を用いてデジタルコンテンツをエンコードする場合、コンテンツ処理部２５０は、一意の番号を用いてデジタルコンテンツをデコードすることができる。
【００４２】
コンテンツ処理部２５０は、例えば、購入したデジタルコンテンツが第２ユーザ端末３００に送信された場合、第２ユーザ端末３００から受信した情報を分析する。第２ユーザ端末３００の情報は、一意の番号及び／または第２ユーザ端末３００の個人証明書であってもよい。コンテンツ処理部２５０は、第２ユーザ端末３００から受信した情報を用いて、ＤＲＭ部２４０により変更されたＤＲＭ情報を含むデジタルコンテンツをエンコードしてもよい。
【００４３】
メモリ管理部２６０は、例えば、ＤＲＭ情報がＤＲＭ部２４０によって変更された場合、またはデジタルコンテンツがコンテンツ処理部２５０によってエンコードされた場合、デジタルコンテンツのステータス（ｓｔａｔｕｓ）を保存し、削除し、変更する。具体的には、エンコードされたデジタルコンテンツが第２ユーザ端末３００に送信された場合、メモリ管理部２６０は、第１ユーザ端末において対応するデジタルコンテンツの使用を無効にするロック操作（ｌｏｃｋｉｎｇ  ｏｐｅｒａｔｉｏｎ）を実行し、デジタルコンテンツのステータスを「無効（ＤＩＳＡＢＬＥ）」と設定してもよい。また、デジタルコンテンツが第２ユーザ端末３００から取消されると、メモリ管理部２６０は、デジタルコンテンツのロックを解除し、デジタルコンテンツのステータスを「有効（ＥＮＡＢＬＥ）」と設定してもよい。
【００４４】
以下、図３から図５を参照し、変更前後のＤＲＭ領域について説明する。
【００４５】
デジタルコンテンツは、第１ユーザ端末に最初に購入されて格納されたデジタルコンテンツを第１デジタルコンテンツと呼ぶとすると、第１デジタルコンテンツは、第２ユーザ端末に送信される。第２ユーザ端末に格納された第１デジタルコンテンツを、第２デジタルコンテンツと呼ぶ。第１ユーザ端末のＤＲＭ部は、第１デジタルコンテンツが送信されると、第１デジタルコンテンツのＤＲＭ情報を変更する。ＤＲＭ部によって変更されたＤＲＭ情報を有する第１デジタルコンテンツは、「第１プライムデジタルコンテンツ（ｆｉｒｓｔ  ｐｒｉｍｅ  ｄｉｇｉｔａｌ  ｃｏｎｔｅｎｔ）」と呼ぶ。また、第２デジタルコンテンツのＤＲＭ情報は、ＤＲＭ部によって変更される。このとき、第２デジタルコンテンツのＤＲＭ情報は、第１プライムデジタルコンテンツのＤＲＭ情報と異なるものであってもよい。
【００４６】
図３は、本発明の一実施形態に係るＤＲＭ領域を示す図である。図３は、デジタルコンテンツが購入されたときにデジタルコンテンツに追加される初期のＤＲＭ領域３０における、販売者領域３１及び購入者領域３２のＤＲＭ情報の例を示している。初期のＤＲＭ領域３０は、デジタルコンテンツプロバイダ１００によって作成され、デジタルコンテンツに含まれて第１ユーザ端末２００に送信される。これにより、デジタルコンテンツの購入が完了する。
【００４７】
販売者領域３１に記録された販売条件は、デジタルコンテンツの購入可能なライセンス数が「１」であり、デジタルコンテンツは無制限に送信可能であり、一回につき（ｐｅｒ  ｔｉｍｅ）最大で２名に送信可能であり、譲渡可能であることを示している。
【００４８】
購入者領域３２に記録された購入条件は、デジタルコンテンツの購入者は「端末１」であり、デジタルコンテンツの現在の所有者は「端末１」であり、現在所有しているライセンス数が「１」であり、現在取消可能なライセンス数が「０」であり、デジタルコンテンツの順次（ｓｅｑｕｅｎｔｉａｌｌｙ）送信可能数が「２」であり、デジタルコンテンツのレンタル期間が無期限であることを示している。
【００４９】
現在取消可能なライセンス数が「０」である場合、デジタルコンテンツは、他のユーザ端末にまだ送信されていないことを示す。順次送信可能数が「２」である場合、デジタルコンテンツは、２人のユーザに最大で送信することができることを示す。従って、ユーザＡがユーザＢにデジタルコンテンツを送信すると、順次送信可能数が「１」に減少する。ユーザＢがユーザＣに同じデジタルコンテンツを送信すると、順次送信可能数が「０」に減少し、デジタルコンテンツをもはや送信することができなくなり、デジタルコンテンツを取消す必要が出てくる。レンタル期間は、デジタルコンテンツを所有する端末のユーザによって設定されてもよい。本発明の一実施形態としてこれに限定されるものではないが、ユーザＡからユーザＢに送信されるとき、デジタルコンテンツを２名のユーザに送信可能な権限とともに、順次送信可能数の「２」が、ユーザＢに提供されてもよい。さらに、ユーザＢからデジタルコンテンツを受信した２名のユーザは、それぞれデジタルコンテンツを２名のユーザに送信可能な権限が提供されてもよい。
【００５０】
図４は、以下に説明するように、第１ユーザ端末から第２ユーザ端末に送信されたデジタルコンテンツに含まれるＤＲＭ領域を示す図である。図４に示すＤＲＭ情報は、図３に示す初期のＤＲＭ領域３０に格納されたＤＲＭ情報の変更により生成されたＤＲＭ情報であってもよい。
【００５１】
図４を参照すると、第２ユーザ端末に送信されたデジタルコンテンツのＤＲＭ領域４０は、販売者領域４１及び購入者領域４２を含む。販売者領域４１は、第１ユーザ端末にデジタルコンテンツが最初に購入されたときと同じであってもよい。
【００５２】
購入者領域４２は、デジタルコンテンツの購入者が「端末１」であり、現在の所有者が「端末２」であることを示している。デジタルコンテンツが第１ユーザ端末から貸与されたものであるため、現在所有しているライセンス数及び現在取消可能なライセンス数は、それぞれ「１」及び「０」であることが示されている。購入者領域４２の購入条件は、第１ユーザ端末のＤＲＭ部２４０による購入者領域３２の購入条件の変更の結果生成された購入条件であってもよい。
【００５３】
順次送信可能数が「１」であり、購入条件が購入者領域３２の購入条件の変更の結果生成されている場合、第２ユーザ端末は、外部端末にデジタルコンテンツを一回送信することができる。
【００５４】
第１ユーザ端末がレンタル期間を設定して第２ユーザ端末にデジタルコンテンツを送信する場合、第２ユーザ端末に格納されたデジタルコンテンツは、レンタル期間の満了時に削除されることがある。レンタル期間の満了後、第１ユーザ端末が「無効」に設定したデジタルコンテンツの状態（ｓｔａｔｅ）が、第１ユーザ端末がデジタルコンテンツを利用できるように「有効」に変更されてもよい。デジタルコンテンツのレンタル期間は、図４に図示したように、２０１０年１０月１日期限として設定されており、第２ユーザ端末は、２０１０年１０月１日迄に、第１ユーザ端末にデジタルコンテンツを戻す（ｒｅｔｕｒｎ）必要がある。
【００５５】
図５は、本発明の一実施形態に係るＤＲＭ領域を示す図である。
【００５６】
図５は、デジタルコンテンツが第２ユーザ端末に送信されたときの、第１ユーザ端末のＤＲＭ領域を示している。例えば、図５に示す変更されたＤＲＭ情報は、第１ユーザ端末２００に格納されたデジタルコンテンツに含まれる情報であってもよい。
【００５７】
図５に図示したように、デジタルコンテンツが第２ユーザ端末に送信されたとき、第１ユーザ端末に格納されているデジタルコンテンツのＤＲＭ領域５０は、販売者領域５１及び購入者領域５２を含む。販売者領域５１は、第１ユーザ端末のユーザが最初にデジタルコンテンツを購入したときと同じであってもよい。
【００５８】
購入者領域５２は、デジタルコンテンツの購入者は「端末１」であり、現在の所有者は「端末２」であることを示している。現在所有しているライセンス数は「１」であり、現在取消可能なライセンス数は「０」であり、デジタルコンテンツが第２ユーザ端末に貸与されたか、送信されたことを示している。購入者領域５２の購入条件は、ＤＲＭ部により、図３に示した購入者領域３２の購入条件の変更の結果生成された購入条件であってもよい。
【００５９】
第１ユーザ端末は、現在所有しているライセンス数が０であるため、これ以上デジタルコンテンツを送信することができないことがわかる。
【００６０】
レンタル期間が無期限である場合、送信されたデジタルコンテンツは、第１ユーザ端末から削除される必要があり、デジタルコンテンツが第２ユーザ端末に送信されるとき、第１ユーザ端末に格納されたデジタルコンテンツが削除されてもよい。一方、レンタル期間が所定期間に設定されている場合は、第１ユーザ端末に格納されたデジタルコンテンツは削除されずに、上述したように、無効の状態、すなわちロックされた状態としてもよい。無効の状態は、デジタルコンテンツが第２ユーザ端末から通常通り取消すことができない状況に備えるためである。
【００６１】
第１ユーザ端末が、第２ユーザ端末にデジタルコンテンツを譲渡する場合、図４及び図５に示すコンテンツ購入者が「端末２」に変更され、第１ユーザ端末におけるデジタルコンテンツが削除されてもよい。
【００６２】
複数のライセンスが購入され、複数の外部端末にデジタルコンテンツが送信された場合に変更されるＤＲＭ領域について、以下、図６〜図８を参照して説明する。
【００６３】
図６は、本発明の一実施形態に係るＤＲＭ領域を示す図である。
【００６４】
図６は、デジタルコンテンツが購入された場合に、デジタルコンテンツに追加される初期のＤＲＭ領域６０を示している。初期のＤＲＭ領域６０は、デジタルコンテンツプロバイダによって作成され、デジタルコンテンツに含まれて、第１ユーザ端末に送信される。
【００６５】
販売者領域６１に記録された販売条件は、デジタルコンテンツの購入可能なライセンス数が「１０」であり、デジタルコンテンツは無制限に送信可能であり、一回につき最大で２名に送信可能であり、譲渡可能であることを示している。
【００６６】
購入者領域６２に記録された購入条件は、デジタルコンテンツの購入者は「端末１」であり、デジタルコンテンツの現在の所有者は「ＡＲＲＡＹ」であり、現在所有しているライセンス数が「１０」であり、現在取消可能なライセンス数が「０」であり、デジタルコンテンツの順次送信可能数が「２」であり、デジタルコンテンツのレンタル期間が無期限であることを示している。
【００６７】
図７は、本発明の一実施形態に係るＤＲＭ領域を示す図である。図７は、第１ユーザ端末から第２ユーザ端末に送信されたデジタルコンテンツに含まれるＤＲＭ領域を説明するための図である。
【００６８】
第２ユーザ端末に送信されたデジタルコンテンツのＤＲＭ領域７０は、販売者領域７１及び購入者領域７２を含む。販売者領域７１は、第１ユーザ端末が最初にデジタルコンテンツを購入したときと同じであってもよい。購入者領域７２は、デジタルコンテンツの購入者が「端末１」であり、現在の所有者が「端末２」であり、現在所有しているライセンス数が「１」であり、現在取消可能なライセンス数が「０」であり、順次送信可能数が「１」であり、レンタル期間が２０１０年１０月１日期限に設定されていることを示している。
【００６９】
図８は、本発明の一実施形態に係るＤＲＭ領域を示す図である。図８は、デジタルコンテンツが第２ユーザ端末に送信された場合に、第１ユーザ端末に格納されているデジタルコンテンツの変更されたＤＲＭ情報の例を示している。
【００７０】
図８を参照すると、第１ユーザ端末に格納されたデジタルコンテンツのＤＲＭ領域８０は、販売者領域８１及び購入者領域８２を含む。販売者領域８１は、第１ユーザ端末が最初にデジタルコンテンツを購入したときと同じであってもよい。購入者領域８２は、デジタルコンテンツの購入者が「端末１」であり、現在の所有者が「ＡＲＲＡＹ」であることを示している。本実施形態において、「ＡＲＲＡＹ」は、多数の端末を含み、例えば１０端末であり、そのうちの一つが「端末２」であってもよい。購入者領域８２は、現在所有しているライセンス数が「９」であり、現在取消可能なライセンス数が「１」であり、デジタルコンテンツの順次送信可能数が「２」であり、デジタルコンテンツのレンタル期間が無期限であることを示している。デジタルコンテンツ（例えば、一つの電子書籍）が、図８に示したように、第２ユーザ端末に貸与されると、第１ユーザ端末に格納されたデジタルコンテンツは削除または無効の状態に変更しなければならない。また、レンタル期間が無期限の場合には、第１ユーザ端末に格納されたデジタルコンテンツを削除する必要がある。
【００７１】
しかし、図６に示すように、複数のライセンスが購入された場合、現在所有しているライセンス数が「０」になるまで、デジタルコンテンツは第１ユーザ端末から削除されなくともよく、デジタルコンテンツの購入条件が以下のように変更されてもよい。
【００７２】
図６に示すように、初期のＤＲＭ情報の現在の所有者は、１０ライセンスを有する「ＡＲＲＡＹ」である。デジタルコンテンツが「ＡＲＲＡＹ」のうち第２ユーザ端末に送信されると、現在の所有者が「端末２」に変更され、現在所有しているライセンス数及び現在取消可能なライセンス数が、それぞれ「９」及び「１」に変更される。デジタルコンテンツが外部端末に送信される場合は、現在所有しているライセンス数が減少し、図８に示すように、現在取消可能なライセンス数が増加する。現在所有しているライセンス数が「１」になれば、デジタルコンテンツが９回送信されたことを意味する。
【００７３】
この場合に、所定のレンタル期間を有するデジタルコンテンツが一回又はそれ以上送信されるとき、デジタルコンテンツは、第１ユーザ端末から削除されずに、無効の状態を維持してもよい。また、デジタルコンテンツが第２ユーザ端末に譲渡される場合、現在所有しているライセンス数及び現在取消可能なライセンス数が調整されてもよく、デジタルコンテンツに対応する権限が、第２ユーザ端末に付与されてもよい。第２ユーザ端末は、第１ユーザ端末と同じ方法で、外部端末にデジタルコンテンツを貸与または譲渡してもよい。
【００７４】
図９は、本発明の一実施形態に係る第１ユーザ端末によるデジタルコンテンツの送信方法を示すフローチャートである。図９には、連続的に（ｓｅｒｉａｌｌｙ）実行されることが図示されているが、当業者は、図９に示された方法の一部又は少なくとも一部を利用することにより、図９に示された方法と同時に（ｃｏｎｔｅｍｐｏｒａｎｅｏｕｓｌｙ）、または図示された順序とは異なる順序で実行可能であることを理解できるだろう。
【００７５】
ＤＲＭ情報拡張及び拡張されたＤＲＭ情報（ｅｘｔｅｎｄｅｄ  ＤＲＭ  ｉｎｆｏｒｍａｔｉｏｎ）を用いてデジタルコンテンツを送信する第１ユーザ端末は、図１を参照して説明した第１ユーザ端末２００であってもよい。図９に示した方法は、第１ユーザ端末２００の制御部２７０又はプロセッサによって実行されてもよい。デジタルコンテンツプロバイダ及び第２ユーザ端末は、それぞれ、デジタルコンテンツプロバイダ１００及び図３に示した第２ユーザ端末３００であってもよい。
【００７６】
操作（ｏｐｅｒａｔｉｏｎ）９００において、第１ユーザ端末は、デジタルコンテンツプロバイダに購入要求を送信する。
【００７７】
操作９０５において、デジタルコンテンツプロバイダは、第１ユーザ端末に認証情報を要求する。
【００７８】
操作９１０において、第１ユーザ端末は、デジタルコンテンツプロバイダに、認証情報として、第１ユーザ端末の一意の番号または個人証明書、またはそれらの組み合わせを送信する。
【００７９】
操作９１５において、デジタルコンテンツプロバイダは、認証情報を用いて認証し、チャージ・プロセスを実行する。
【００８０】
操作９２０において、デジタルコンテンツプロバイダは、一例として、第１ユーザ端末のユーザが定めた購入条件を用いてＤＲＭ情報を生成する。
【００８１】
操作９２５において、デジタルコンテンツプロバイダは、操作９２０で生成されたＤＲＭ情報を含むデジタルコンテンツをエンコードし、第１ユーザ端末にエンコードされたデジタルコンテンツを送信する。これにより、デジタルコンテンツの売買（ｓａｌｅ  ａｎｄ  ｐｕｒｃｈａｓｅ）が完了する。
【００８２】
操作９３０において、第１ユーザ端末は、購入したデジタルコンテンツを第１ユーザ端末に格納する。
【００８３】
操作９３５において、第２ユーザ端末は、第１ユーザ端末に、デジタルコンテンツの送信を要求する。このとき、「送信」は、例えば、転送、コピー、譲渡等のデジタルコンテンツの動きに関連する操作である。
【００８４】
操作９４０において、第１ユーザ端末は、第２ユーザ端末の認証情報を要求する。
【００８５】
操作９４５において、第２ユーザ端末は、第１ユーザ端末へ認証情報として、第２ユーザ端末の一意の番号、個人証明書、またはそれらの組み合わせを送信する。
【００８６】
操作９５０において、第１ユーザ端末は、第２ユーザ端末から受信した認証情報を用いて認証プロセスを実行し、ＤＲＭ情報をチェック（ｃｈｅｃｋ）し、デジタルコンテンツが送信可能かどうかを判断する。操作９５０において、第１ユーザ端末は、デジタルコンテンツが送信可能であるとき、第１ユーザ端末に格納されるデジタルコンテンツのＤＲＭ情報及び第２ユーザ端末に送信されるデジタルコンテンツのＤＲＭ情報を変更する。ＤＲＭ情報は、例えば、購入時のライセンス数、現在所有しているライセンス数、譲渡性などの購入条件に基づき変更されてもよい。
【００８７】
操作９５５において、第１ユーザ端末は、第２ユーザ端末に、変更されたＤＲＭ情報を含むデジタルコンテンツを送信する。
【００８８】
操作９６０において、第１ユーザ端末は、操作９５５におけるデジタルコンテンツの送信が失敗したかどうかを判断する。
【００８９】
操作９６５において、操作９６０で送信が失敗したと判断した場合、第１ユーザ端末は、操作９５０で変更されたＤＲＭ情報を前の状態（ｐｒｅｖｉｏｕｓ  ｓｔａｔｅ）に戻す。
【００９０】
操作９７０において、第１ユーザ端末が第２ユーザ端末から送信完了報告を受信すると、第１ユーザ端末はデジタルコンテンツの送信が成功したかを判断する。
【００９１】
操作９７５ににおいて、第１ユーザ端末は、操作９５５は、送信されたデジタルコンテンツの譲渡であったかを判断する。
【００９２】
操作９８０において、操作９７５でデジタルコンテンツの送信が第２ユーザ端末へのデジタルコンテンツの譲渡であると判断した場合、第１ユーザ端末は操作９３０で格納されたデジタルコンテンツを削除する。
【００９３】
操作９８５において、操作９７５でデジタルコンテンツの送信がデジタルコンテンツの貸与であると判断した場合、第１ユーザ端末は、操作９３０で格納されたデジタルコンテンツの状態を無効に設定してもよく、操作９５０で変更されたＤＲＭ情報を、操作９３０で格納されたデジタルコンテンツに適用してもよい。
【００９４】
ステップ９９０において、ライセンスの送信（ｌｉｃｅｎｓｅ  ｔｒａｎｓｆｅｒ）が完了されている場合、第１ユーザ端末は、第２ユーザ端末に使用許可（ｕｓａｇｅ  ｐｅｒｍｉｓｓｉｏｎ）を送信する。これにより、第２ユーザ端末に送信されたデジタルコンテンツのＤＲＭ情報は、第２ユーザ端末がデジタルコンテンツを使用することができるように拡張される（ｅｘｔｅｎｄｅｄ）。
【００９５】
操作９９５において、操作９９０で拡張されたＤＲＭ情報のレンタル期間が満了した場合、デジタルコンテンツは、第２ユーザ端末から取消される。操作９５５におけるデジタルコンテンツの送信がデジタルコンテンツの譲渡である場合、操作９９５は実行されない。
【００９６】
図１０は、本発明の一実施形態に係るＤＲＭ情報拡張に基づいてデジタルコンテンツを購入して送信する方法を示すフローチャートである。図１０には、連続的に実行されることが図示されているが、当業者は、図１０に示された方法の一部又は少なくとも一部を用いることにより、図１０に示された方法と同時に、または図示された順序とは異なる順序で実行可能であることを理解できるだろう。
【００９７】
本実施形態において、デジタルコンテンツプロバイダ、第１ユーザ端末、第２ユーザ端末、第３ユーザ端末、及び第４ユーザ端末は、それぞれ、図１〜図９を参照して説明した、デジタルコンテンツプロバイダ１００、第１ユーザ端末２００、第２ユーザ端末３００、及び外部端末であってもよい。
【００９８】
操作１０１０において、第１ユーザ端末は、デジタルコンテンツプロバイダに、取り出しを希望する所望のデジタルコンテンツを通知し、取り出される（ｒｅｔｒｉｅｖｅｄ）デジタルコンテンツの購入を要求する。第１ユーザ端末のユーザは、例えば、デジタルコンテンツのライセンス数が１であり、デジタルコンテンツの送信可能数が５であり、デジタルコンテンツが譲渡可能である等の、取り出されるデジタルコンテンツの購入条件を定めてもよい。
【００９９】
操作１０２０において、デジタルコンテンツプロバイダは、第１ユーザ端末のユーザにより設定された購入条件を用いてＤＲＭ情報を生成し、第１ユーザ端末に生成したＤＲＭ情報を含めたデジタルコンテンツを送信する。デジタルコンテンツプロバイダは、第１ユーザ端末の認証情報を用いて認証及びデジタルコンテンツをエンコードし、第１ユーザ端末にエンコードされたデジタルコンテンツを送信する。
【０１００】
操作１０３０において、第１ユーザ端末は、第２ユーザ端末に、購入したデジタルコンテンツを送信する。このとき、第１ユーザ端末は、貸与のために購入したデジタルコンテンツを送信してもよい。第１ユーザ端末は、第２ユーザ端末の認証情報をチェックし、デジタルコンテンツが送信可能である場合に、ＤＲＭ情報を変更するかどうかを判断する。デジタルコンテンツが送信可能である場合、第１ユーザ端末は、第２ユーザ端末の認証情報を用いてデジタルコンテンツをエンコードし、第２ユーザ端末にエンコードされたデジタルコンテンツを送信する。第１ユーザ端末に格納されたデジタルコンテンツは、削除または無効の状態に設定され、第２ユーザ端末がデジタルコンテンツを使用できるようになる。
【０１０１】
操作１０４０において、第２ユーザ端末に送信されたデジタルコンテンツのレンタル期間が満了すると、デジタルコンテンツは取消され、第１ユーザ端末に戻される。
【０１０２】
操作１０５０において、第１ユーザ端末は、複数の端末にデジタルコンテンツを送信してもよい。このとき、第１ユーザ端末に格納されたデジタルコンテンツは削除されず、デジタルコンテンツのＤＲＭ情報が変更されてもよい。
【０１０３】
つまり、操作１０５０において、第１ユーザ端末は、ＤＲＭ情報に基づき、第３ユーザ端末に、購入したデジタルコンテンツを送信してもよい。操作１０２０において生成され、送信されたＤＲＭ情報に、「譲渡可能」の購入条件が含まれている場合、第１ユーザ端末は、第３ユーザ端末にデジタルコンテンツを譲渡することができる。
【０１０４】
操作１０６０において、第３ユーザ端末は、第４ユーザ端末に、譲渡されたデジタルコンテンツを送信する。
【０１０５】
操作１０７０において、第４ユーザ端末に送信されるデジタルコンテンツのレンタル期間が満了すると、デジタルコンテンツが第３ユーザ端末に戻されてもよい。第４ユーザ端末に格納されたデジタルコンテンツは削除されてもよく、第３ユーザ端末に格納されたデジタルコンテンツのＤＲＭ情報（例えば、現在所有しているライセンスの数）が適宜変更されてもよい。
【０１０６】
本発明の一実施形態は、電子書籍、音楽ファイル、ムービーファイル（ｍｏｖｉｅ  ｆｉｌｅｓ）などのデジタルコンテンツと同様に、アプリケーションストアから送信及び購入されるプログラムを含んでもよい。例えば、アプリケーションストアから購入されたプログラムは、本発明の一実施形態として、送信または取消されてもよい。また、本発明の一実施形態は、ファイルのエンコーディングの範囲（ｆｉｌｅ  ｅｎｃｏｄｉｎｇ  ｒａｎｇｅ）に応じて様々な種類のコンテンツに適用されてもよい。
【０１０７】
本発明の一実施形態は、コンピュータによって実現される様々な操作を実装するためのプログラム命令を含む、非一時的な（ｎｏｎ−ｔｒａｎｓｉｔｏｒｙ）、コンピュータ可読媒体（ｃｏｍｐｕｔｅｒ−ｒｅａｄａｂｌｅ  ｍｅｄｉａ）に記録されてもよい。また、媒体は、プログラム命令、データファイル、及びデータ構造等を、単独または組み合わせて含んでもよい。媒体及びプログラム命令は、本発明の目的のために特別に設計され、構築されたものであってもよく、また、コンピュータソフトウェア分野の当業者によく理解され、利用可能なものであってもよい。
【０１０８】
本発明の一実施形態は、ユーザがデジタルコンテンツプロバイダから購入したデジタルコンテンツを他のユーザに提供するために、デジタルコンテンツを送信することのできるユーザ端末、方法、及びシステムを提供する。このとき、ユーザはデジタルコンテンツプロバイダを介さずにデジタルコンテンツのデジタル著作権管理（ＤＲＭ）情報を変更し、他のユーザに、変更されたＤＲＭ情報を含むデジタルコンテンツを送信する。従って、他のユーザにデジタルコンテンツを提供することがより便利に可能となる。
【０１０９】
さらに、本発明の一実施形態は、複数のユーザ端末間でデジタルコンテンツを送信するユーザ端末、方法、及びシステムを提供する。デジタルコンテンツの送信は、不正コピー（ｕｎａｕｔｈｏｒｉｚｅｄ  ｃｏｐｙｉｎｇ）に対立するものとして、送信と取消のコンセプトの下に行うことにより、デジタルコンテンツの管理効率（ｍａｎａｇｅｍｅｎｔ  ｅｆｆｉｃｉｅｎｃｙ）を高めることができる。
【０１１０】
また、本発明の一実施形態は、デジタルコンテンツプロバイダが、デジタルコンテンツの伝達率（ｔｒａｎｓｍｉｓｓｉｂｉｌｉｔｙ）、デジタルコンテンツのライセンス数、及びデジタルコンテンツのレンタル期間等を含む様々な条件を設定することのできるデジタルコンテンツを送信するためのユーザ端末、方法、及びシステムを提供する。デジタルコンテンツを送信するための方法及びシステムは、デジタルコンテンツプロバイダ間の競争を可能にするため、より活発なデジタルコンテンツ市場の形成につながる。例えば、会社Ａは、低価格で、制限のある伝達率を有するデジタルコンテンツを提供し、会社Ｂは、高価格で、制限のない伝達率を有するデジタルコンテンツを提供してもよい。
【０１１１】
本発明は、本発明の精神又は範囲から逸脱することなく、様々な修正及び変形が可能であることは当業者には明らかであろう。従って、本発明は、添付の特許請求の範囲及びその均等物の範囲内に入る発明の修正及び変形をカバーするものであることは明らかである。
【０１１２】
（関連出願の相互参照）
本願は、ここにその全ての目的が完全に開示されるように参照により組み込まれる、2010年8月13日出願の韓国特許出願No.10-2010-0078113の優先権及びその利益を主張する。
【図１】
0005395855.tif 000003
【図２】
0005395855.tif 000004
【図３】
0005395855.tif 000005
【図４】
0005395855.tif 000006
【図５】
0005395855.tif 000007
【図６】
0005395855.tif 000008
【図７】
0005395855.tif 000009
【図８】
0005395855.tif 000010
【図１０】
0005395855.tif 000011
【図９】
0005395855.tif 000012